(57)【要約】【課題】コストを抑えつつ、ユーザー辞書や登録単語が複数の機器間で共有されるようにする。また、映像機器や音響機器等に設けられた日本語等の文字列入力のためのインタフェースを使い易くする。【解決手段】ＤＶＤレコーダ１００、ＤＶＤレコーダ１５０、および携帯電話２００は、ユーザー辞書を記憶する記憶部を備えている。携帯電話２００は、ユーザー辞書に登録された辞書単語のうち、ユーザによって選択された単語を示す赤外線データをＤＶＤレコーダ１００に送る。ＤＶＤレコーダ１００は、この時にユーザー辞書登録モードであれば、この赤外線データを受信し、この赤外線データによって示される文字列を、自身の記憶部に記憶されたユーザー辞書に新たに登録し、表示する。【選択図】図１
2009099056.tif 000002
【特許請求の範囲】
【請求項１】
文字列を示す文字列データを片方向通信によって受信する受信部と、
前記受信部によって受信された文字列データを処理する文字列処理部とを備えた文字列受信装置。
【請求項２】
請求項１の文字列受信装置において、
前記受信部は、赤外線通信によって前記文字列データを受信することを特徴とする文字列受信装置。
【請求項３】
請求項１の文字列受信装置において、
前記文字列データは、少なくとも１つの第１の文字列と少なくとも１つの第２の文字列とを対応付けて示すものであり、
前記文字列処理部は、かな漢字変換に用いられるユーザー辞書を記憶するユーザー辞書記憶部を備え、前記文字列データが示す前記第１および第２の文字列を、前記ユーザー辞書記憶部に記憶されたユーザー辞書に、変換前後の文字列として対応付けて登録することを特徴とする文字列受信装置。
【請求項４】
請求項１の文字列受信装置において、
文字列を表示する表示部を備え、かつ、前記表示部に表示された文字列がユーザーによって編集可能なように構成されており、
前記文字列処理部は、前記文字列データによって示される文字列を、前記表示部に表示された編集中の文字列に挿入することを特徴とする文字列受信装置。
【請求項５】
請求項１の文字列受信装置において、
前記受信部は、さらに、ユーザーによる入力操作に応じた動作を当該文字列受信装置に指示するコマンドを受信することを特徴とする文字列受信装置。
【請求項６】
請求項１の文字列受信装置において、
前記文字列処理部が登録単語のリストを記録する登録単語記憶部を備え、または、当該文字列受信装置が文字列を表示する表示部を備え、
前記文字列データは、かな漢字変換における変換前後の文字列を対応付けて示すユーザー辞書用の文字列データであり、
前記文字列処理部は、前記文字列データが示す変換前後の文字列のうちのいずれか一方を、前記登録単語記憶部に記憶されたリストに登録する、または、前記表示部に表示されている文字列に挿入することを特徴とする文字列受信装置。
【請求項７】
請求項１の文字列受信装置において、
前記文字列処理部が登録単語のリストを記録する登録単語記憶部を備え、または、当該文字列受信装置が文字列を表示する表示部を備え、
前記文字列データは、かな漢字変換における変換前後の文字列を対応付けて示すユーザー辞書用の文字列データであり、
前記文字列処理部は、かな漢字変換に用いられるユーザー辞書を記憶するユーザー辞書記憶部を備え、ユーザー辞書登録モードを含む複数種類のモードで動作し、
前記ユーザー辞書登録モードで動作しているときは、前記文字列データが示す変換前後の文字列を、前記ユーザー辞書記憶部に記憶されたユーザー辞書に登録し、
前記ユーザー辞書登録モード以外のモードで動作しているときは、前記文字列データが示す変換前後の文字列のうちのいずれか一方を、前記登録単語記憶部に記憶されたリストに登録する、または、前記表示部に表示されている文字列に挿入することを特徴とする文字列受信装置。
【請求項８】
文字列を示す送受信用文字列データを双方向通信によって送受信する送受信部と、
文字列を示す送信用文字列データを片方向通信によって送信する送信部とを備えた文字列転送装置。
【請求項９】
請求項８の文字列転送装置において、
かな漢字変換における変換前後の文字列を対応付けて登録させたユーザー辞書を記憶するユーザー辞書記憶部をさらに備え、
前記送信用文字列データは、前記ユーザー辞書に登録された変換前後の文字列を示すものであることを特徴とする文字列転送装置。
【請求項１０】
請求項８の文字列転送装置において、
前記送受信部は、電話回線、またはＬＡＮ回線を用いて、前記送受信用文字列データを送受信することを特徴とする文字列転送装置。
【請求項１１】
請求項８の文字列転送装置において、
前記送信部は、赤外線通信によって前記送信用文字列データを送信することを特徴とする文字列転送装置。
【請求項１２】
請求項８の文字列転送装置と請求項１の文字列受信装置とを備え、
前記文字列受信装置における受信部は、前記文字列転送装置における送信部によって送信される送信用文字列データを受信し、
前記文字列転送装置は、かな漢字変換における変換前後の文字列を対応付けて登録させたユーザー辞書を記憶するユーザー辞書記憶部をさらに備え、
前記送信用文字列データは、前記ユーザー辞書に登録された変換前後の文字列を示すものであることを特徴とする文字列送受信システム。
【請求項１３】
メールアドレスを有するメール受信端末へ、いずれのコンテンツを推薦するかを示すコンテンツ情報と自身の機器ＩＤとを送信可能なコンテンツ受信端末に用いられるコンテンツ受信端末向けシステムＬＳＩであって、
人の名前と機器ＩＤとを対応付けて示す名簿を記憶する名簿記憶部と、
人の名前とメールアドレスとを対応付けて示す名簿の内容を示すデータを赤外線通信により受信する赤外線受信部と、
前記赤外線受信部によって受信されたデータによって示される名簿のうち、前記名簿記憶部に記憶された名簿には名前が含まれない人の名前およびメールアドレスを、対応付けて前記名簿記憶部に記憶された名簿に追加し、さらに、前記名簿記憶部に記憶された名簿に名前が含まれる人のメールアドレスを、前記名簿記憶部に記憶された名簿に、人の名前と対応付けて追加するメールアドレス追加部とを備えていることを特徴とするコンテンツ受信端末向けシステムＬＳＩ。
【請求項１４】
請求項１３のコンテンツ受信端末向けシステムＬＳＩと、
人の名前とメールアドレスとを対応付けて示す名簿を記憶する名簿記憶部、および当該名簿記憶部に記憶された名簿の内容を示すデータを、前記コンテンツ受信端末向けシステムＬＳＩが用いられるコンテンツ受信端末に赤外線通信により送信する赤外線送信部を備えた携帯電話向けシステムＬＳＩとを備えた名簿共有システム。
【請求項１５】
人の名前とメールアドレスとを対応付けて示す第１の名簿を記憶する名簿記憶部を有する第１の装置が、前記第１の名簿の内容を示すデータを赤外線通信によって送信する第１のステップと、
人の名前と機器ＩＤとを対応付けて示す第２の名簿を記憶する名簿記憶部を有し、メールアドレスを有するメール受信端末へ、いずれのコンテンツを推薦するかを示すコンテンツ情報と自身の機器ＩＤとを送信可能な第２の装置が、前記第１のステップにおいて前記第１の装置によって送信されたデータを受信する第２のステップと、
前記第２の装置が、前記第２のステップで受信したデータによって示される前記第１の名簿のうち、前記第２の名簿には名前が含まれない人の名前およびメールアドレスを、対応付けて前記第２の名簿に追加し、さらに、前記第２の名簿に名前が含まれる人のメールアドレスを、前記第２の名簿に、人の名前と対応付けて追加する第３のステップとを有する名簿共有方法。
【請求項１６】
請求項１５の名簿共有方法において、
前記第２の装置が、前記第２の名簿によって対応付けて示される人の名前と機器ＩＤとを赤外線通信によって前記第１の装置に送信する第４のステップと、
前記第１の装置が、前記第４のステップにおいて前記第２の装置によって送信されたデータを受信する第５のステップと、
前記第１の装置が、前記第５のステップにおいて受信したデータによって対応付けて示される人の名前と機器ＩＤとを、前記第１の名簿に、対応付けて追加する第６のステップとをさらに有する名簿共有方法。
【請求項１７】
人の名前と機器ＩＤとを対応付けて示す名簿を記憶する名簿記憶部を有するコンテンツ情報配信機器が、入力によって指定された人の名前と対応させて前記名簿に示されている機器ＩＤを有するコンテンツ受信端末に、いずれのコンテンツが推薦されているかを示すコンテンツ情報を送信する第１のステップと、
前記コンテンツ受信端末が、前記第１のステップで送信されたコンテンツ情報を受信し、受信したコンテンツ情報によっていずれのコンテンツが推薦されているかを表示する第２のステップとを有するコンテンツ推薦方法。
【請求項１８】
人の名前とメールアドレスとを対応付けて示す名簿を記憶する名簿記憶部を有するコンテンツ情報配信機器が、入力によって指定された人の名前と対応させて前記名簿に示されているメールアドレスを有するメール受信端末に、入力によっていずれのコンテンツが推薦されているかを示すコンテンツ情報と、当該コンテンツ情報配信機器自身の機器ＩＤとを送信する第１のステップと、
前記メール受信端末が、前記第１のステップで送信されたコンテンツ情報および機器ＩＤを受信し、受信したコンテンツ情報によっていずれのコンテンツが推薦されているかと、前記機器ＩＤとを表示する第２のステップとを有するコンテンツ推薦方法。
【発明の詳細な説明】
【技術分野】
【０００１】
本発明は、情報を双方向もしくは片方向に転送することによって、複数の機器間で情報を共有する技術に関する。
【背景技術】
【０００２】
従来、ネットワーク上のユーザー辞書を使った日本語入力システムが用いられている。
【０００３】
例えば、特許文献１に記載されているネットワークシステムにおいては、サーバーが、携帯端末によって単語変換が行われた未登録単語を受け取り、受け取った未登録単語のうちユーザーによって頻繁に使用されるものを辞書に登録し、さらに、未登録単語を登録した辞書を携帯端末に配信する。このように、サーバーは、未登録単語を自動的に収集・配布できるようになっている。
【０００４】
また、特許文献２に記載されている日本語入力システムにおいては、インターネット上で公開された仮名漢字変換辞書を辞書ダウンロード手段がダウンロードし、仮名漢字変換サーバーはこのダウンロードされた辞書を使用する。
【０００５】
また、従来、特許文献３に記載されているように、通信路を介して相互に接続された端末とサーバーとによって住所録を共有する住所録共有システムが用いられている。
【０００６】
また、特許文献４には、携帯端末内の電子電話帳データを利用して、携帯電話から、公衆テレビ電話にアドレス情報を暗号化したデータを送信する通信システムについて記載されている。
【特許文献１】特開２００５−２５８８８８号公報（第４−５頁、第１図）
【特許文献２】特開平１１−３３３０号公報（第２頁、第１図）
【特許文献３】特開２００６−３０９５９０号公報
【特許文献４】特開２００７−３６６１１号公報
【発明の開示】
【発明が解決しようとする課題】
【０００７】
最近、映像機器や音響機器等でも、日本語入力可能なものが増えてきている。しかしながら、これらの機器は、通常、コストや使い易さを考慮して、ネットワークには接続されないため、異なる製品の間はもちろん、同じ製品の間でも、日本語入力のためによく用いられるユーザー辞書や登録単語を共有できない。したがって、ユーザー辞書や登録単語を記憶する記憶部を個別に設け、ユーザー辞書等への新たな単語の登録を個別に行う必要がある。
【０００８】
また、これら映像機器や音響機器等に直接文字列を入力するためのインタフェースは、使いにくいものが多く、また使い易くするためにはコストがかかる。
【０００９】
本発明は、上記の点に鑑み、コストを抑えつつ、ユーザー辞書や登録単語が複数の機器間で共有されるようにすることを目的とする。また、コストを抑えつつ、映像機器や音響機器等に、日本語等の文字列を入力し易くすることを目的とする。
【００１０】
また、特許文献３、４に記載された技術により、携帯電話とパソコンは容易に住所録を共有できる。これにより、共有された住所録を利用して年賀状の宛名印刷をすることが可能になる。
【００１１】
一方、インターネット上では、動画が、ＣＭを見なければ見ることができないように処理される等して配信されるようになっている。これにより、動画データの提供者は確実に収入を得られるようになっている。また、テレビジョン放送のコンテンツをインターネットを利用して配信することが検討されている。
【００１２】
そこで、本発明は、インターネット上で配信される動画の視聴を促進することを目的とする。
【課題を解決するための手段】
【００１３】
上記の課題を解決するため、請求項１の文字列受信装置は、
文字列を示す文字列データを片方向通信によって受信する受信部と、
前記受信部によって受信された文字列データを処理する文字列処理部とを備えている。
【００１４】
請求項１の文字列受信装置により、文字列データが、受信部によって片方向通信により受信される。したがって、文字列受信装置に文字列データが送信されるようにすることにより、文字列受信装置に、双方向通信のための装置を設けることなく、送信側の装置と文字列データを共有させることができる。また、文字列受信装置は、文字列データを受信する受信部を備えているので、ユーザーが直接入力を行うためのインタフェースが文字列受信装置に設けられていなくても、文字列データを、送信することによって文字列受信部に入力できる。
【００１５】
請求項２の文字列受信装置は、
請求項１の文字列受信装置において、
前記受信部は、赤外線通信によって前記文字列データを受信することを特徴とする。
【００１６】
請求項３の文字列受信装置は、
請求項１の文字列受信装置において、
前記文字列データは、少なくとも１つの第１の文字列と少なくとも１つの第２の文字列とを対応付けて示すものであり、
前記文字列処理部は、かな漢字変換に用いられるユーザー辞書を記憶するユーザー辞書記憶部を備え、前記文字列データが示す前記第１および第２の文字列を、前記ユーザー辞書記憶部に記憶されたユーザー辞書に、変換前後の文字列として対応付けて登録することを特徴とする。
【００１７】
請求項３の文字列受信装置により、文字列受信装置に文字列データが送信されるようにすることにより、文字列受信装置のユーザー辞書に、送信側の装置のユーザー辞書と共通の文字列が登録されるようにできる。したがって、低いコストで、複数の装置にユーザー辞書を共有させることができる。
【００１８】
請求項４の文字列受信装置は、
請求項１の文字列受信装置において、
文字列を表示する表示部を備え、かつ、前記表示部に表示された文字列がユーザーによって編集可能なように構成されており、
前記文字列処理部は、前記文字列データによって示される文字列を、前記表示部に表示された編集中の文字列に挿入することを特徴とする。
【００１９】
請求項４の文字列受信装置により、文字列受信装置に文字列データを送信することによって、当該文字列データによって示される文字列を、表示部に表示された編集中の文字列に挿入できる。
【００２０】
請求項５の文字列受信装置は、
請求項１の文字列受信装置において、
前記受信部は、さらに、ユーザーによる入力操作に応じた動作を当該文字列受信装置に指示するコマンドを受信することを特徴とする。
【００２１】
請求項５の文字列受信装置により、文字列受信装置に、文字列データを受信する受信部とは別に、コマンドを受信する受信部を設ける必要がなくなる。
【００２２】
請求項６の文字列受信装置は、
請求項１の文字列受信装置において、
前記文字列処理部が登録単語のリストを記録する登録単語記憶部を備え、または、当該文字列受信装置が文字列を表示する表示部を備え、
前記文字列データは、かな漢字変換における変換前後の文字列を対応付けて示すユーザー辞書用の文字列データであり、
前記文字列処理部は、前記文字列データが示す変換前後の文字列のうちのいずれか一方を、前記登録単語記憶部に記憶されたリストに登録する、または、前記表示部に表示されている文字列に挿入することを特徴とする。
【００２３】
請求項７の文字列受信装置は、
請求項１の文字列受信装置において、
前記文字列処理部が登録単語のリストを記録する登録単語記憶部を備え、または、当該文字列受信装置が文字列を表示する表示部を備え、
前記文字列データは、かな漢字変換における変換前後の文字列を対応付けて示すユーザー辞書用の文字列データであり、
前記文字列処理部は、かな漢字変換に用いられるユーザー辞書を記憶するユーザー辞書記憶部を備え、ユーザー辞書登録モードを含む複数種類のモードで動作し、
前記ユーザー辞書登録モードで動作しているときは、前記文字列データが示す変換前後の文字列を、前記ユーザー辞書記憶部に記憶されたユーザー辞書に登録し、
前記ユーザー辞書登録モード以外のモードで動作しているときは、前記文字列データが示す変換前後の文字列のうちのいずれか一方を、前記登録単語記憶部に記憶されたリストに登録する、または、前記表示部に表示されている文字列に挿入することを特徴とする。
【００２４】
請求項８の文字列転送装置は、
文字列を示す送受信用文字列データを双方向通信によって送受信する送受信部と、
文字列を示す送信用文字列データを片方向通信によって送信する送信部とを備えている。
【００２５】
請求項８の文字列転送装置により、送信部は、送信用文字列データを、片方向通信による受信はできるが双方向通信の行えない文字列受信装置に送信できる。したがって、低いコストで、片方向通信による受信はできるが双方向通信の行えない文字列受信装置に、文字列転送装置と文字列データを共有させることができる。
【００２６】
請求項９の文字列転送装置は、
請求項８の文字列転送装置において、
かな漢字変換における変換前後の文字列を対応付けて登録させたユーザー辞書を記憶するユーザー辞書記憶部をさらに備え、
前記送信用文字列データは、前記ユーザー辞書に登録された変換前後の文字列を示すものであることを特徴とする。
【００２７】
請求項９の文字列転送装置により、送信部が、ユーザー辞書に登録されたを示す送信用文字列データを、片方向通信による受信はできるが双方向通信の行えない文字列受信装置に送信できる。したがって、受信側の文字列受信装置と文字列転送装置で、ユーザー辞書を共有することが容易になる。
【００２８】
請求項１０の文字列転送装置は、
請求項８の文字列転送装置において、
前記送受信部は、電話回線、またはＬＡＮ回線を用いて、前記送受信用文字列データを送受信することを特徴とする。
【００２９】
請求項１１の文字列転送装置は、
請求項８の文字列転送装置において、
前記送信部は、赤外線通信によって前記送信用文字列データを送信することを特徴とする。
【００３０】
請求項１２の文字列送受信システムは、
請求項８の文字列転送装置と請求項１の文字列受信装置とを備え、
前記文字列受信装置における受信部は、前記文字列転送装置における送信部によって送信される送信用文字列データを受信し、
前記文字列転送装置は、かな漢字変換における変換前後の文字列を対応付けて登録させたユーザー辞書を記憶するユーザー辞書記憶部をさらに備え、
前記送信用文字列データは、前記ユーザー辞書に登録された変換前後の文字列を示すものであることを特徴とする。
【００３１】
請求項１３のコンテンツ受信端末向けシステムＬＳＩは、
メールアドレスを有するメール受信端末へ、いずれのコンテンツを推薦するかを示すコンテンツ情報と自身の機器ＩＤとを送信可能なコンテンツ受信端末に用いられるコンテンツ受信端末向けシステムＬＳＩであって、
人の名前と機器ＩＤとを対応付けて示す名簿を記憶する名簿記憶部と、
人の名前とメールアドレスとを対応付けて示す名簿の内容を示すデータを赤外線通信により受信する赤外線受信部と、
前記赤外線受信部によって受信されたデータによって示される名簿のうち、前記名簿記憶部に記憶された名簿には名前が含まれない人の名前およびメールアドレスを、対応付けて前記名簿記憶部に記憶された名簿に追加し、さらに、前記名簿記憶部に記憶された名簿に名前が含まれる人のメールアドレスを、前記名簿記憶部に記憶された名簿に、人の名前と対応付けて追加するメールアドレス追加部とを備えていることを特徴とする。
【００３２】
請求項１３のコンテンツ受信端末向けシステムＬＳＩにより、前記コンテンツ受信端末は、前記赤外線受信部によって受信されたデータによって示されるメールアドレスを有するメール受信端末に、所定のコンテンツを推薦するコンテンツ情報および自身の機器ＩＤとを送信できる。これにより、前記メール受信端末のユーザーは、送信されたコンテンツ情報によって示されたコンテンツを視聴した際に、コンテンツ情報と共に送信されてきた機器ＩＤを、自身のコンテンツ受信端末に入力できる。したがって、機器ＩＤが入力されたコンテンツ受信端末が、コンテンツ情報の送信元であるコンテンツ受信端末からのコンテンツ情報に応じて視聴が行われたことをサーバー等に送信すると、コンテンツ情報の送信元であるコンテンツ受信端末のユーザーまたは、視聴が行われたコンテンツ受信端末のユーザーにキャッシュバックが行われるようにする等、新たなサービスが可能になる。
【００３３】
請求項１４の名簿共有システムは、
請求項１３のコンテンツ受信端末向けシステムＬＳＩと、
人の名前とメールアドレスとを対応付けて示す名簿を記憶する名簿記憶部、および当該名簿記憶部に記憶された名簿の内容を示すデータを、前記コンテンツ受信端末向けシステムＬＳＩが用いられるコンテンツ受信端末に赤外線通信により送信する赤外線送信部を備えた携帯電話向けシステムＬＳＩとを備えている。
【００３４】
請求項１５の名簿共有方法は、
人の名前とメールアドレスとを対応付けて示す第１の名簿を記憶する名簿記憶部を有する第１の装置が、前記第１の名簿の内容を示すデータを赤外線通信によって送信する第１のステップと、
人の名前と機器ＩＤとを対応付けて示す第２の名簿を記憶する名簿記憶部を有し、メールアドレスを有するメール受信端末へ、いずれのコンテンツを推薦するかを示すコンテンツ情報と自身の機器ＩＤとを送信可能な第２の装置が、前記第１のステップにおいて前記第１の装置によって送信されたデータを受信する第２のステップと、
前記第２の装置が、前記第２のステップで受信したデータによって示される前記第１の名簿のうち、前記第２の名簿には名前が含まれない人の名前およびメールアドレスを、対応付けて前記第２の名簿に追加し、さらに、前記第２の名簿に名前が含まれる人のメールアドレスを、前記第２の名簿に、人の名前と対応付けて追加する第３のステップとを有する。
【００３５】
請求項１５の名簿共有方法により、第２の装置が、第３のステップにおいて追加されたメールアドレスを有するメール受信端末へ、所定のコンテンツを推薦するコンテンツ情報および自身の機器ＩＤとを送信できる。これにより、前記メール受信端末のユーザーは、送信されたコンテンツ情報によって示されたコンテンツを視聴した際に、コンテンツ情報と共に送信されてきた機器ＩＤを、自身のコンテンツ受信端末に入力できる。したがって、機器ＩＤが入力されたコンテンツ受信端末が、コンテンツ情報の送信元である第２の装置からのコンテンツ情報に応じて視聴が行われたことをサーバー等に送信すると、第２の装置のユーザーまたは、視聴が行われたコンテンツ受信端末のユーザーにキャッシュバックが行われるようにする等、新たなサービスが可能になる。
【００３６】
請求項１６の名簿共有方法は、
請求項１５の名簿共有方法において、
前記第２の装置が、前記第２の名簿によって対応付けて示される人の名前と機器ＩＤとを赤外線通信によって前記第１の装置に送信する第４のステップと、
前記第１の装置が、前記第４のステップにおいて前記第２の装置によって送信されたデータを受信する第５のステップと、
前記第１の装置が、前記第５のステップにおいて受信したデータによって対応付けて示される人の名前と機器ＩＤとを、前記第１の名簿に、対応付けて追加する第６のステップとをさらに有する。
【００３７】
請求項１７のコンテンツ推薦方法は、
人の名前と機器ＩＤとを対応付けて示す名簿を記憶する名簿記憶部を有するコンテンツ情報配信機器が、入力によって指定された人の名前と対応させて前記名簿に示されている機器ＩＤを有するコンテンツ受信端末に、いずれのコンテンツが推薦されているかを示すコンテンツ情報を送信する第１のステップと、
前記コンテンツ受信端末が、前記第１のステップで送信されたコンテンツ情報を受信し、受信したコンテンツ情報によっていずれのコンテンツが推薦されているかを表示する第２のステップとを有する。
【００３８】
請求項１７のコンテンツ推薦方法により、前記コンテンツ受信端末のユーザーは、前記コンテンツ受信端末によって受信されたコンテンツ情報に基づいて、推薦されているコンテンツを視聴することができる。
【００３９】
請求項１８のコンテンツ推薦方法は、
人の名前とメールアドレスとを対応付けて示す名簿を記憶する名簿記憶部を有するコンテンツ情報配信機器が、入力によって指定された人の名前と対応させて前記名簿に示されているメールアドレスを有するメール受信端末に、入力によっていずれのコンテンツが推薦されているかを示すコンテンツ情報と、当該コンテンツ情報配信機器自身の機器ＩＤとを送信する第１のステップと、
前記メール受信端末が、前記第１のステップで送信されたコンテンツ情報および機器ＩＤを受信し、受信したコンテンツ情報によっていずれのコンテンツが推薦されているかと、前記機器ＩＤとを表示する第２のステップとを有する。
【００４０】
請求項１８のコンテンツ推薦方法により、前記メール受信端末のユーザーは、送信されたコンテンツ情報によって示されたコンテンツを視聴した際に、コンテンツ情報と共に表示された機器ＩＤを、自身のコンテンツ受信端末に入力できる。したがって、機器ＩＤが入力されたコンテンツ受信端末が、コンテンツ情報の送信元であるコンテンツ情報配信機器からのコンテンツ情報に応じて視聴を行ったことをサーバー等に送信すると、コンテンツ情報配信機器のユーザーまたは、視聴が行われたコンテンツ受信端末のユーザーにキャッシュバックが行われるようにする等、新たなサービスが可能になる。
【発明の効果】
【００４１】
文字列受信装置に、双方向通信のための装置を設けることなく、送信側の装置と文字列データを共有させることができる。したがって、コストを抑えつつ、ユーザー辞書や登録単語が複数の機器間で共有されるようにできる。また、ユーザーが直接文字列を入力するためのインタフェースが文字列受信装置に設けられていなくても、文字列データを、送信することによって文字列受信装置に入力できる。したがって、コストを抑えつつ、映像機器や音響機器等に、日本語等の文字列を入力し易くできる。
【００４２】
また、コンテンツ情報配信機器が、動画コンテンツを推薦等するためのコンテンツ情報を機器ＩＤまたはメールアドレスを用いて容易に配信できるようになるので、インターネット上で配信される動画の視聴を促進することが容易になる。
【発明を実施するための最良の形態】
【００４３】
以下、本発明の実施形態について、図面を参照して説明する。なお、以下の各実施形態において、他の実施形態と同様の機能を有する構成要素については同一の符号を付して説明を省略する。
【００４４】
《実施形態１》
本発明の実施形態１に係るネットワークシステム（文字列送受信システム）は、図１に示すように、ＤＶＤ（Digital Versatile Disc）レコーダ１００、１５０、１６０、携帯電話２００、携帯電話２００による電波経由での音声・データ通信を可能にする携帯電話基地局９００、インターネットのプロバイダのサーバー９１０、インターネットに接続可能なパーソナルコンピュータ（パソコン）９２０、およびパソコン９２０とＵＳＢ（Universal Serial Bus：ユニバーサル・シリアル・バス）によって接続されたユニバーサルリモコン９３０を含んでいる。
【００４５】
ＤＶＤレコーダ（文字列受信装置）１００は、図２に示すように、赤外線データを受信する赤外線受信部（受信部）１０１と、赤外線受信部１０１によって受信された赤外線データのうち、コマンドを示すものを処理するコマンド処理部１０２と、文字列を示すもの（文字列データ）を処理する文字列処理部１１０と、様々な情報を表示する表示部１０３と、キー入力操作が行われる操作キー１０４と、ＤＶＤレコーダの主要機能からなる主要機能部１２０とを備えている。
【００４６】
文字列処理部１１０は、文字列入力状態時に、表示部１０３に表示される文字列に、赤外線受信部１０１によって受信された赤外線データによって示される文字列を挿入する文字列入力部１１１と、使用頻度の高い単語を登録したリストの内容を記憶する登録単語記憶部１１２と、使用頻度の高い単語についてかな漢字変換前後の文字列を対応付けて登録したユーザー辞書の内容を記憶するユーザー辞書記憶部１１３とを備えている。ユーザーは、登録単語記憶部１１２に記憶された単語のリストを所定の入力によって表示部１０３に表示させ、表示されたリストから単語を選択することにより、選択した単語を、表示部１０３に表示されている編集中の文字列に挿入できる。また、上記ユーザー辞書は、日本語入力システムにおけるかな漢字変換に用いられるものである。そして、このユーザー辞書には、かな漢字変換における変換前の文字列と変換後の文字列とが１対１に対応付けて登録されている。例えば、変換前の文字列である「おおさか」と変換後の文字列である「大阪」とが対応付けて登録されている。また、ユーザー辞書には、入力すると長い定型の語句とその短い読みとが対応付けて登録されている。例えば、変換前の文字列である「あり」と変換後の文字列である「ありがとう」とが対応付けて登録されている。
【００４７】
ＤＶＤレコーダ１００は、文字列の入力モード、登録単語の入力モード、およびユーザー辞書登録モードという３種類のモードで動作する。ＤＶＤレコーダ１００が文字列の入力モードである時、文字列処理部１１０の文字列入力部１１１が、赤外線受信部１０１によって受信された赤外線データによって示される文字列を、表示部１０３に表示されている文字列に挿入する。また、ＤＶＤレコーダ１００が登録単語の入力モードである時、文字列処理部１１０の登録単語記憶部１１２が、赤外線受信部１０１によって受信された赤外線データによって示される文字列を、記憶しているリストに登録する。また、ＤＶＤレコーダ１００がユーザー辞書登録モードである時、文字列処理部１１０のユーザー辞書記憶部１１３が、赤外線受信部１０１によって受信された赤外線データによって示されるかな漢字変換における変換前後の文字列を、記憶しているユーザー辞書に登録する。
【００４８】
主要機能部１２０は、デジタルテレビジョン放送を受信するデジタルチューナー１２１と、アナログテレビジョン放送を受信するアナログチューナー１２２と、受信したデジタルテレビジョン放送をデコードするＭＰＥＧ（Moving Picture Experts Group）デコーダ１２３と、受信したアナログテレビジョン放送をエンコードするＭＰＥＧエンコーダ１２４と、放送データを記録するハードディスクドライブ（ＨＤ（Hard Disc）ドライブ）１２７と、同じく放送データを記録するＤＶＤドライブ１２８と、映像出力部１２５と、音声出力部１２６とを備えている。
【００４９】
ＤＶＤレコーダ１５０は、ＤＶＤレコーダ１００と同じ構成および機能を有する。ＤＶＤレコーダ１００およびＤＶＤレコーダ１５０は、インターネットに接続され得るように構成されていないが、ＤＶＤレコーダ１６０は、インターネットに接続可能なように構成されている。
【００５０】
携帯電話２００（文字列転送装置）は、インターネットに接続され得るように構成されている。具体的には、図３に示すように、ネットワーク送受信部２０１（送受信部）と、赤外線送信部２０５（送信部）と、様々な情報を表示する表示部２０６と、キー入力操作が行われる操作キー２０７と、文字列や単語・辞書についての処理を行う文字列処理部２１０と、携帯電話２００の主要機能を有する主要機能部２２０と、コマンド処理部２０３と、選択部２０２、２０４とを備えている。
【００５１】
ネットワーク送受信部２０１は、双方向通信であるインターネット通信を行うために電波を送受信する。より詳しくは、電話回線、またはＬＡＮ（Local Area Network）回線を用いたインターネット通信によって、文字列データを送受信する。
【００５２】
コマンド処理部２０３は、操作キー２０７に行われたユーザーによる入力操作に応じた動作をＤＶＤレコーダ１００に指示するコマンドを生成する。
【００５３】
選択部２０４は、文字列、登録単語、または辞書単語を示す文字列処理部２１０から出力されるデータを選択し、赤外線送信部２０５に送る。
【００５４】
選択部２０２は、選択部２０４と同様に、文字列、登録単語、または辞書単語を示すデータを選択し、ネットワーク送受信部２０１等に送る。
【００５５】
文字列処理部２１０は、操作キー２０７から入力された文字列を示すデータを外部へ送る文字列入力部２１１と、使用頻度の高い単語を登録したリストの内容を記憶する登録単語記憶部２１２と、使用頻度の高い単語を登録したユーザー辞書の内容を記憶するユーザー辞書記憶部２１３を備えている。このユーザー辞書は、ユーザー辞書記憶部１１３に記憶されたユーザー辞書と同様に、日本語入力システムにおけるかな漢字変換に用いられるものであり、このユーザー辞書には、かな漢字変換における変換前の文字列と変換後の文字列とが１対１に対応付けて登録されている。
【００５６】
主要機能部２２０は、携帯電話２００での音声会話を可能にする処理を行う電話機能部２２１と、Ｅメールの送受信に関する処理を行うＥメール機能部２２２と、インターネットの閲覧を可能にするネット閲覧機能部２２３とを備えている。
【００５７】
また、サーバー９１０、パソコン９２０、およびＤＶＤレコーダ１６０も、それぞれ、日本語入力に高い頻度で用いられる単語を登録したユーザー辞書を記憶するユーザー辞書記憶部を備えている。
【００５８】
ＤＶＤレコーダ１００の赤外線受信部が赤外線通信によって受信する赤外線データは、片方向通信用のフォーマットである。ここで、この赤外線による片方向通信に用いられる片方向通信データのフォーマットについて、図４を参照して説明する。ここで用いられる片方向通信データは、可変長である。
【００５９】
フォーマット５００Ａは、通常使用されているもので、受信するテレビチャンネルの切替、記録した映像データの再生・停止・早送り等の制御のコマンド（指示）、あるいは、録画等のコマンドを送るために用いられる。これらのコマンドは、携帯電話２００のコマンド処理部２０３において、ユーザーの入力操作に応じて生成される。また、フォーマット５００Ａは、個々の機器を識別するためのＩＤ（Identification）、およびコマンド送信であることを示す識別子から成る固定長のヘッダと、コマンド本体のデータとから構成される。
【００６０】
フォーマット５００Ｂは、文字列を送信するために用いられる。より詳しくは、例えば、文章列や文章の編集モードにおいて文字列を編集中の文章等に挿入したり、使用頻度の高い単語を登録するために用いられる。また、フォーマット５００Ｂは、個々の機器を識別するためのＩＤ、および文字列送信であることを示す識別子から成る固定長のヘッダと、データ長、文字列を示すデータ、およびデータの誤りをチェックするためのチェックサムから成る可変長のデータとから構成される。
【００６１】
フォーマット５００Ｃは、１語分の辞書を送信するために用いられる。より詳しくは、通常の辞書（図示せず。）には無いが使用頻度の高い単語とその読み仮名をユーザー辞書に登録するために用いられる。また、フォーマット５００Ｃは、個々の機器を識別するためのＩＤ、および１語分の辞書送信であることを示す識別子から成る固定長のヘッダと、辞書データのデータ長、辞書データ、読み仮名を示す読み仮名データのデータ長、読み仮名データ、およびデータの誤りをチェックするためのチェックサムから成る可変長のデータとから構成される。
【００６２】
ここで、本実施形態のネットワークシステムの動作について図５〜１０を参照して説明する。
【００６３】
まず、携帯電話２００に入力された文字列を示す赤外線データが、ＤＶＤレコーダ１００に送られ、表示部１０３によって表示される文字列に挿入される場合の動作について、図５を参照して説明する。
【００６４】
ＤＶＤレコーダ１００が文字列の入力モード（例えば、番組名の編集モード）にあるときに、携帯電話２００の操作キー２０７に「歌合戦」と入力する操作が行われると、「歌合戦」という文字列を示すデータが文字列入力部２１１に一旦記憶され、表示部２０６が図５の２０６Ａに示すような表示を行う。次に、操作キー２０７に含まれる赤外線送信のキーが押されると、「歌合戦」の文字列を示すデータが選択部２０４を経て、赤外線送信部２０５に入力され、赤外線送信部２０５から赤外線データが送信される。送信される赤外線データは、図４の５００Ｂに示したフォーマットとなる。赤外線データは、ＤＶＤレコーダ１００用のＩＤ、通信データが文字列を示すものであることを表す１バイトの識別子、データ長を示す１バイトのデータ、文字列本体を示すデータ、および転送時のエラーの有無をチェックするために用いられる１バイトのチェックサムが順に連なったものとなる。ここで、ＩＤは、メーカーや機種を表す。また、携帯電話２００に入力された文字列が「歌合戦」の場合、文字列本体を示すデータは、「歌合戦」を示す６バイトのデータとなり、そのデータ長を示す値は６となる。
【００６５】
そして、携帯電話２００から送信された赤外線データは、ＤＶＤレコーダ１００における赤外線受信部１０１によって受信され、文字列入力部１１１によって処理されて表示部１０３によって表示される。表示部１０３によって、赤外線データの受信前までは、図５の１０３Ａに示すように、「紅白対抗」の文字列の後にカーソルが表示され、表示された文字列がユーザーによって編集されているものとする。この場合、「歌合戦」の文字列を示す赤外線データの受信後は、当該文字列がカーソルの位置に挿入されて、図５の１０３Ｂに示すように、「紅白対抗歌合戦」の文字列が表示される。つまり、文字列入力部１１１は、表示部１０３に表示されたユーザーによる編集中の文字列「紅白対抗」に、文字列「歌合戦」を挿入する。
【００６６】
次に、携帯電話２００の登録単語記憶部２１２に登録された登録単語のうち、ユーザーによって選択された単語を示す赤外線データが、ＤＶＤレコーダ１００に送られ、登録単語記憶部１１２に記憶されたリストに当該単語が登録される場合の動作について、図６を参照して説明する。
【００６７】
ＤＶＤレコーダ１００が登録単語の入力モードにあるときに、携帯電話２００に対して、登録単語記憶部２１２に記憶された登録単語の一覧（リスト）を表示させる操作が行われると、携帯電話２００の表示部２０６は、図６の２０６Ｃに示すような表示を行う。そして、ユーザーが、リストの中から２番の「大阪」を選択する操作を操作キー２０７に対して行い、赤外線送信のキーを押すと、「大阪」の文字列を示すデータが、選択部２０４を経て、赤外線送信部２０５に入力され、赤外線送信部２０５から赤外線データが送信される。この時、赤外線データは、図４の５００Ｂに示したフォーマットとなる。表示部１０３に表示される文字列に挿入する文字列の送信時と登録単語の送信時とでは、通信データのフォーマットに違いはなく、受信側であるＤＶＤレコーダ１００は、そのときの設定、すなわちモードに応じて、通信データによって示される文字列を、表示する文字列に挿入したり、登録したりする。通信データは、ＤＶＤレコーダ１００用のＩＤに続き、通信データが文字列を示すものであることを表す１バイトの識別子、データ長を示す１バイトのデータ、文字列本体を示すデータ、および転送時のエラーの有無をチェックするために用いられる１バイトのチェックサムが順に連なったものとなる。ここで、ＩＤは、メーカーや機種を表す。携帯電話２００に「大阪」を選択する操作が行われた場合、文字列本体を示すデータは、「大阪」を示す４バイトのデータとなり、そのデータ長を示す値は４となる。
【００６８】
そして、携帯電話２００から送信された赤外線データは、ＤＶＤレコーダ１００における赤外線受信部１０１によって受信され、登録単語記憶部１１２によって処理されて表示部１０３によって表示される。赤外線データの受信前までは、図６の１０３Ｃに示すように、２番の彗星までが、登録単語記憶部１１２に記憶されたリストに登録されて、表示部１０３によって表示されているとすると、「大阪」の文字列を示す赤外線データの受信後は、図６の１０３Ｄに示すように、３番目に「大阪」が、登録単語記憶部１１２に記憶されたリストに新たに登録され、表示部１０３によって表示される。
【００６９】
さらに、携帯電話２００の登録単語記憶部２１２に登録された登録単語のうち、ユーザーによって選択された単語を示す赤外線データが、ＤＶＤレコーダ１００に送られ、表示部１０３によって表示される文字列に挿入される場合の動作について、図７を参照して説明する。
【００７０】
ＤＶＤレコーダ１００が文字列の入力モードにあるときに、携帯電話２００において、登録単語記憶部２１２に登録された登録単語の一覧（リスト）を表示させる操作が行われると、携帯電話２００の表示部２０６は、図７の２０６Ｅに示すような表示を行う。そして、ユーザーが、リストの中から３番の「歌合戦」を選択する操作を操作キー２０７に対して行い、赤外線送信のキーを押すと、「歌合戦」の文字列を示すデータが選択部２０４を経て赤外線送信部２０５に入力され、赤外線送信部２０５から赤外線データが送信される。この時、送信される赤外線データは、図４の５００Ｂに示したフォーマットとなる。前述と同様に、ＩＤ、識別子に続き、データ長を示す１バイトのデータ、文字列本体を示すデータ、およびチェックサムが順に連なったものとなる。携帯電話２００に「歌合戦」を選択する操作が行われた場合、文字列本体を示すデータは、「歌合戦」を示す６バイトのデータとなり、そのデータ長を示す値は６となる。
【００７１】
そして、携帯電話２００から送信された赤外線データは、ＤＶＤレコーダ１００における赤外線受信部１０１によって受信され、文字列入力部１１１によって処理されて表示部１０３によって表示される。表示部１０３によって、赤外線データの受信前までは、図７の１０３Ｅに示すように、「紅白対抗」の文字列の後にカーソルが表示されているとすると、「歌合戦」の文字列を示す赤外線データの受信後は、当該文字列がカーソルの位置に挿入されて、図７の１０３Ｆに示すように「紅白対抗歌合戦」の文字列が表示される。
【００７２】
さらに、携帯電話２００のユーザー辞書記憶部２１３に記憶されたユーザー辞書に登録された辞書単語のうち、ユーザーによって選択された単語を示す赤外線データが、ＤＶＤレコーダ１００に送られ、ユーザー辞書記憶部１１３に記憶されたユーザー辞書に当該単語が登録される場合の動作について、図８を参照して説明する。
【００７３】
ＤＶＤレコーダ１００がユーザー辞書登録モードにあるときに、携帯電話２００において、ユーザー辞書記憶部２１３に記憶されたユーザー辞書に登録された辞書単語の一覧を表示させる操作が行われると、携帯電話２００の表示部２０６は、図８の２０６Ｇに示すような表示を行う。前述の通り、ユーザー辞書記憶部２１３のユーザー辞書には、漢字が難しい単語を登録したり、よく使う単語を登録したりする他に、図８の２０６Ｇの４番目、５番目に示すように、入力すると長い定型の語句を、短い読みと対応させて登録することができる。ユーザーが、リストの中から２番の「大阪」を選択する操作を操作キー２０７に対して行い、赤外線送信のキーを押すと、「大阪」の文字列を示すデータが選択部２０４を経て赤外線送信部２０５に入力され、赤外線データが赤外線送信部２０５から送信される。この時、送信される赤外線データは、図４の５００Ｃに示したフォーマットとなる。このフォーマットは、ＩＤ、識別子に続き、辞書単語を示す辞書データのデータ長を示す１バイトのデータ、データ長、辞書データ本体、読み仮名を示す読み仮名データのデータ長を示す１バイトのデータ、読み仮名データ本体、およびチェックサムが順に連なったものである。つまり、送信される赤外線データは、かな漢字変換における変換前の文字列である読み仮名と、変換後の文字列を示す辞書単語とを対応付けて示すものである。携帯電話２００に「大阪」を選択する操作が行われた場合、「大阪」を示す辞書データは４バイトとなるので、そのデータ長を示す値は４となる。また、読み仮名データは、「おおさか」を示す８バイトのデータとなり、そのデータ長を示す値は８となる。
【００７４】
そして、携帯電話２００から送信された赤外線データは、ＤＶＤレコーダ１００における赤外線受信部１０１によって受信され、ユーザー辞書記憶部１１３によって処理されて表示部１０３によって表示される。赤外線データの受信前まで、表示部１０３は、図８の１０３Ｇのように、１番の「天王星」（登録された読みは「てんのうせい」）と２番の「彗星」（登録された読みは、本当の読みの「すいせい」ではなく「ほうきぼし」）だけを表示しており、ユーザー辞書記憶部１１３にも、１番の「天王星」と２番の「彗星」だけが登録されているとする。すると、「大阪」を示す辞書データおよび「おおさか」を示す読み仮名データを含む赤外線データの受信後は、図８の１０３Ｈのように、３番目に、「大阪」とその読みである「おおさか」とが、変換前後の文字列として対応付けられて、ユーザー辞書記憶部１１３に記憶されたユーザー辞書に新たに登録され、表示部１０３に表示される。
【００７５】
さらに、携帯電話２００のユーザー辞書記憶部２１３に記憶されたユーザー辞書に登録された辞書単語のうち、ユーザーによって選択された単語を示す赤外線データが、ＤＶＤレコーダ１００に送られ、登録単語記憶部１１２に記憶されたリストに当該単語が登録される場合の動作について、図９を参照して説明する。
【００７６】
ＤＶＤレコーダ１００が登録単語の入力モードにあるときに、携帯電話２００に対して、ユーザー辞書記憶部２１３に記憶されたユーザー辞書に登録された辞書単語の一覧を表示させる操作が行われると、携帯電話２００の表示部２０６は、図９の２０６Ｊに示すような表示を行う。ユーザーが、リストの中から２番の「大阪」を選択する操作を操作キー２０７に対して行い、赤外線送信のキーを押すと、「大阪」を示すデータが選択部２０４を経て赤外線送信部２０５に入力され、赤外線データが赤外線送信部２０５から送信される。この時、送信される赤外線データは、図４の５００Ｃに示したフォーマットとなる。このフォーマットは、辞書単語の通信に使われるものである。このフォーマットは、前述したように、ＩＤ、識別子に続き、辞書単語を示す辞書データのデータ長を示す１バイトのデータ、データ長、辞書データ本体、読み仮名を示す読み仮名データのデータ長を示す１バイトのデータ、読み仮名データ本体、およびチェックサムが順に連なったものである。携帯電話２００に「大阪」を選択する操作が行われた場合、「大阪」を示す辞書データは４バイトとなるので、そのデータ長を示す値は４となる。また、読み仮名データは、「おおさか」を示す８バイトのデータとなり、そのデータ長を示す値は８となる。
【００７７】
そして、携帯電話２００から送信された赤外線データは、ＤＶＤレコーダ１００における赤外線受信部１０１によって受信され、登録単語記憶部１１２によって処理されて表示部１０３によって表示される。ここでは、赤外線データが登録単語記憶部１１２によって処理されるので、読み仮名データは無視され、破棄される。赤外線データの受信前までは、図９の１０３Ｊに示すように、２番の彗星までが、登録単語記憶部１１２に記憶されたリストに登録されて、表示部１０３によって表示されているとすると、「大阪」の文字列を示す赤外線データの受信後は、図９の１０３Ｋに示すように、３番目に「大阪」が、登録単語記憶部１１２に記憶されたリストに新たに登録され、表示部１０３によって表示される。
【００７８】
さらに、携帯電話２００のユーザー辞書記憶部２１３に記憶されたユーザー辞書に登録された辞書単語のうち、ユーザーによって選択された単語を示す赤外線データが、ＤＶＤレコーダ１００に送られ、表示部１０３によって表示される文字列に挿入される場合の動作について、図１０を参照して説明する。
【００７９】
ＤＶＤレコーダ１００が文字列の入力モードにあるときに、携帯電話２００に対して、ユーザー辞書記憶部２１３に記憶されたユーザー辞書に登録された辞書単語の一覧を表示させる操作が行われると、携帯電話２００の表示部２０６は、図１０の２０６Ｍに示すような表示を行う。ユーザーが、リストの中から３番の「歌合戦」を選択する操作を操作キー２０７に対して行い、赤外線送信のキーを押すと、「歌合戦」を示すデータが選択部２０４を経て赤外線送信部２０５に入力され、赤外線データが赤外線送信部２０５から送信される。この時、送信される赤外線データは、図４の５００Ｃに示したフォーマットとなる。このフォーマットは、前述したように、ＩＤ、識別子に続き、辞書単語を示す辞書データのデータ長を示す１バイトのデータ、データ長、辞書データ本体、読み仮名を示す読み仮名データのデータ長を示す１バイトのデータ、読み仮名データ本体、およびチェックサムが順に連なったものである。携帯電話２００に「歌合戦」を選択する操作が行われた場合、「歌合戦」を示す辞書データは６バイトとなるので、そのデータ長を示す値は６となる。また、読み仮名データは、「うた」を示す４バイトのデータとなり、そのデータ長を示す値は４となる。
【００８０】
そして、携帯電話２００から送信された赤外線データは、ＤＶＤレコーダ１００における赤外線受信部１０１によって受信され、文字列入力部１１１によって処理されて表示部１０３によって表示される。赤外線データは、文字列入力部１１１によって処理されるので、読み仮名データは無視され、破棄される。表示部１０３において、赤外線データの受信前までは、図１０の１０３Ｍに示すように、「紅白対抗」の文字列の後にカーソルが表示されているとすると、「歌合戦」の文字列を示す赤外線データの受信後は、当該文字列がカーソルの位置に挿入されて、図１０の１０３Ｎに示すように、「紅白対抗歌合戦」の文字列が表示される。
【００８１】
図１に示すように、携帯電話２００、サーバー９１０、パソコン９２０、およびＤＶＤレコーダ１６０は、同一のネットワークに接続され得るようになっているので、ユーザー辞書や、表示または登録される文字列を共有できる。携帯電話２００は、インターネットに接続されることによって、携帯電話基地局９００を経由して、サーバー９１０とデータをやりとりできる。また、パソコン９２０やＤＶＤレコーダ１６０は、直接インターネットに接続され得るようになっているので、同様に、サーバー９１０とデータをやりとりできる。つまり、サーバー９１０を経由して、携帯電話２００、パソコン９２０、およびＤＶＤレコーダ１６０との間で、ユーザー辞書に含まれる文字列、およびその他の文字列等のデータをやりとりできる。インターネットに繋がらないＤＶＤレコーダ１００およびＤＶＤレコーダ１５０は、前述のように、携帯電話２００を通じて、ユーザー辞書に含まれる文字列、その他の文字列等のデータを、他と同一にすることができる。このように、本実施形態においては、仕様の異なる複数の機器の間で、ユーザー辞書や文字列が共有されている。
【００８２】
なお、携帯電話２００に限らず、インターネットに接続可能であり、かつ、赤外線通信機能を持つ機器を用いた場合でも、同様なことを実現できる。また、図１に示すユニバーサルリモコン９３０のように、インターネットに接続可能な機器に他のインターフェース（例えば、ＵＳＢ）で接続可能であり、かつ、赤外線通信機能を持つ機器を用いても、同様なことを実現できる。
【００８３】
以上、図５〜図１０で動作を示したように、本実施形態のネットワークシステムにおいては、従来、電源制御や再生・停止制御等のリモコン用途のみに使用していた赤外線通信によって、ユーザー辞書に含まれる単語やその他の単語等の文字列データが送信され、その赤外線データが受信されて処理される。したがって、インターネット等のネットワークに繋がらないＤＶＤレコーダ１００においても、ネットワークに接続可能な機器と同じ日本語の文字列やユーザー辞書を使うことができ、使い易い日本語入力環境を実現することができる。
【００８４】
さらに、図１に示すように、赤外線通信とネットワーク接続の両方が可能な機器が、リモコン用に使用される赤外線データとして文字列データを送信するので、ネットワーク上にあるユーザー辞書や単語のデータが、ネットワークには繋がっていないが赤外線を受信する機能を有する機器によって利用され得るようになる。また、本実施形態で用いられる赤外線データのフォーマット（赤外線通信の通信フォーマット）は、図４に示すように簡素なので、安価な通信手段によって受信できる。また、データの互換性に乏しいものでも、可能な限り、そのデータを活用して、日本語入力を使いやすくすることができる。
【００８５】
また、本実施形態のネットワークシステムには、図７、図９、図１０で動作を示したように、送信側が登録単語モードであるのに対して受信側が文字列入力モードである場合、送信側が辞書単語モードであるのに対して受信側が登録単語モードである場合、送信側が辞書単語モードであるのに対して受信側が文字列入力モードである場合といった複数種類の動作状態がある。このように複数種類の動作状態があっても、受信側がデータに対して、動作状態および受信側が有する機能に応じた処理を柔軟に行うことにより、ユーザー辞書や単語のデータを活用できる。
【００８６】
なお、本実施形態のユーザー辞書には、かな漢字変換における変換前の文字列と変換後の文字列とが１対１に対応付けて登録されていた。しかし、必ずしも１対１に対応付けられていなくてもよく、例えば、変換前の文字列「はし」の変換後の文字列である「端」「橋」および「箸」の３つの文字列が、「はし」に対応付けて登録され得るようにしてもよい。また、「米」の変換前の文字列である「こめ」および「よね」の２つの文字列が、「米」に対応付けて登録され得るようにしてもよい。
【００８７】
また、本実施形態のネットワークシステムにおいては、ＤＶＤレコーダ１００、１５０が、いずれもユーザー辞書を記憶するユーザー辞書記憶部１１３を備え、受信した赤外線データに対応付けて示されたかな漢字変換における変換前後の文字列を、ユーザー辞書に登録する機能を有していた。しかし、ＤＶＤレコーダ１００、１５０が、かな漢字変換における変換前後の文字列を対応付けて記憶する機能を有さず、図４の５００Ｃに示すユーザー辞書用のフォーマットの赤外線データを受信した場合には、変換前後のいずれか一方の文字列を、登録単語記憶部１１２に記憶されたリストに登録したり、表示部１０３に表示された文字列に挿入するようにしてもよい。
【００８８】
また、ＤＶＤレコーダ１００、１５０に代えて、赤外線データを受信し、日本語入力を行える他の映像機器、音響機器を用いてもよいし、携帯電話２００に代えて、インターネットに接続可能で、赤外線データを送信し、日本語入力を行える他の機器を用いてもよい。
【００８９】
《実施形態２》
本発明の実施形態２に係るネットワークシステムは、図１１に示すように、ＤＶＤレコーダ１１００、１１５０、１１６０、携帯電話１２００、携帯電話１２００による電波経由での音声・データ通信を可能にする携帯電話基地局１９００、インターネットのプロバイダのサーバー１９１０、インターネットに接続可能なパーソナルコンピュータ（パソコン）１９２０、およびパソコン１９２０とＵＳＢによって接続されたユニバーサルリモコン１９３０を含んでいる。
【００９０】
ＤＶＤレコーダ１１００は、図１２に示すように、実施形態１に係るＤＶＤレコーダ１００の文字列処理部１１０に代えて、文字列処理部１１１０を備えている。ＤＶＤレコーダ１１００の赤外線受信部１０１および文字列処理部１１１０は、ＤＶＤレコーダ（コンテンツ受信端末）向けシステムＬＳＩ内に構成される。
【００９１】
文字列処理部１１１０は、文字列入力状態時に、表示部１０３に表示される文字列に、赤外線受信部１０１によって受信された赤外線データによって示される文字列を挿入する文字列入力部１１１１と、機器ＩＤを含む住所録（名簿）を記憶する住所録記憶部（名簿記憶部）１１１２と、外部へ機器ＩＤを送信する機器ＩＤ送信部１１１３と、メールアドレスを住所録に追加するメールアドレス追加部１１１４とを備えている。
【００９２】
ＤＶＤレコーダ１１５０は、ＤＶＤレコーダ１１００と同じ構成および機能を有する。ＤＶＤレコーダ１１００、１１５０、１１６０は、インターネットに接続されている。
【００９３】
携帯電話１２００は、図１３に示すように、実施形態１に係る携帯電話２００の文字列処理部２１０に代えて、住所録を処理する文字列処理部１２１０を備えている。また、選択部２０２、２０４に代えて、選択部１２０２、１２０４を備えている。携帯電話１２００のネットワーク送受信部２０１および文字列処理部１２１０は、携帯電話向けシステムＬＳＩ内に構成される。
【００９４】
選択部１２０４は、文字列処理部１２１０から出力される住所録を選択し、赤外線送信部２０５に送る。
【００９５】
選択部１２０２は、選択部１２０４と同様に、住所録を選択し、ネットワーク送受信部２０１等に送る。
【００９６】
文字列処理部１２１０は、住所録を外部へ送るための文字列入力部１２１１と、住所録（名簿）を記憶する住所録記憶部（名簿記憶部）１２１２と、外部から機器ＩＤを受信する機器ＩＤ受信部１２１３と、機器ＩＤ追加部１２１４とを備えている。
【００９７】
ＤＶＤレコーダ１１００の住所録記憶部１１１２、および携帯電話１２００の住所録記憶部１２１２は、それぞれ、例えば、図１４に示すような住所録を記憶する。同図に示すように、住所録は、人の名前、住所、電話番号、メールアドレス、および機器ＩＤを対応付けて示すものである。
【００９８】
また、パソコン１９２０、およびＤＶＤレコーダ１１６０も、それぞれ、住所録を記憶する住所録記憶部を備えている。
【００９９】
ＤＶＤレコーダ１１００の赤外線受信部１０１が赤外線通信によって受信する赤外線データは、片方向通信用のフォーマットである。ここで、この赤外線による片方向通信に用いられる片方向通信データのフォーマットについて、図１５を参照して説明する。ここで用いられる片方向通信データは、可変長である。
【０１００】
フォーマット５００Ｄは、１人分の個人の属性を示す属性データを送信するために使用されるものである。フォーマット５００Ｄは、個々の機器を識別するためのＩＤ、および１人分の属性データの送信であることを示す識別子から成る固定長のヘッダと、名前のデータ長、名前を示す名前データ、属性データのデータ長、属性データ、およびデータの誤りをチェックするためのチェックサムから成る可変長のデータとから構成される。ここで、属性データには、携帯電話のメールアドレスや携帯電話番号を示すデータが含まれる。
【０１０１】
フォーマット５００Ｅは、１人分の機器ＩＤを送信するために使用されるものである。フォーマット５００Ｅは、個々の機器を識別するためのＩＤ、および１人分の機器ＩＤの送信であることを示す識別子から成る固定長のヘッダと、名前のデータのデータ長、名前のデータ、機器ＩＤのデータ長、機器ＩＤ、およびデータの誤りをチェックするためのチェックサムから成る可変長のデータとから構成される。
【０１０２】
ここで、本実施形態のネットワークシステムの動作について説明する。
【０１０３】
まず、ＤＶＤレコーダ（第２の装置）１１００と携帯電話（第１の装置）１２００とが住所録を共有する動作について、図１６を参照して説明する。
【０１０４】
住所録を共有するための動作を開始する時点では、携帯電話１２００の住所録記憶部１２１２に記憶された住所録において、図１７の（１）に示すように、機器ＩＤの欄が空白になっている。また、ＤＶＤレコーダ１１００の住所録記憶部１１１２に記憶された住所録においては、図１７の（２）に示すように、住所、電話番号、およびメールアドレスの欄が空白になっている。
【０１０５】
（ステップ１）携帯電話１２００の赤外線送信部２０５が、赤外線通信によってＤＶＤレコーダ１１００に住所録の内容を示すデータを送信する。
【０１０６】
（ステップ２）ＤＶＤレコーダ１１００の赤外線受信部１０１が、携帯電話１２００から、住所録の内容を示すデータを赤外線通信によって受信する。
【０１０７】
（ステップ３）ＤＶＤレコーダ１１００のメールアドレス追加部１１１４は、（ステップ２）で赤外線受信部１０１によって受信されたデータによって示される住所録のうち、ＤＶＤレコーダ１１００の住所録記憶部１１１２に記憶された既存の住所録に名前が含まれない人の名前、住所、電話番号、およびメールアドレスを、対応付けてこの既存の住所録に追加する。さらに、受信したデータによって示される住所録とＤＶＤレコーダ１１００の既存の住所録の両方に名前が含まれる人の住所、電話番号、およびメールアドレスを、人の名前と対応付けてこの既存の住所録に挿入（追加）する。
【０１０８】
（ステップ３）が終了した時点で、ＤＶＤレコーダ１１００の住所録記憶部１１１２に記憶された住所録は、図１７の（３）に示すようになっている。図１７の（２）にはなかった「人生悟」のデータが追加されており、（２）では空白だった「銀山金太郎」の住所、電話番号、メールアドレスの欄が埋まっている。
【０１０９】
（ステップ４）ＤＶＤレコーダ１１００の機器ＩＤ送信部１１１３が、携帯電話１２００へ、住所録記憶部１１１２に記憶された住所録に対応付けて示されている人の名前と機器ＩＤとを、対応付けて送信する。この送信は赤外線通信によって行われ、送信されるデータのフォーマットは、図１５で示したフォーマット５００Ｅとなる。
【０１１０】
（ステップ５）携帯電話１２００の機器ＩＤ受信部１２１３が、（ステップ４）においてＤＶＤレコーダ１１００によって送信されたデータ、つまり、人の名前と機器ＩＤとを対応付けて示すデータを赤外線通信により受信する。
【０１１１】
（ステップ６）機器ＩＤ追加部１２１４は、（ステップ５）で機器ＩＤ受信部１２１３により受信されたデータによって対応付けて示される人の名前と機器ＩＤとを、住所録記憶部１２１２に記憶された住所録に、対応付けて挿入（追加）する。
【０１１２】
（ステップ６）が終わると、携帯電話の住所録は図１７の（４）に示すようになっている。「徒然ゆく子」のデータが追加されており、図１７の（３）で示したＤＶＤレコーダ１１００に記憶されている住所録と同じ内容になっている。以上の手順により、ＤＶＤレコーダ１１００と携帯電話１２００とにそれぞれ記憶された住所録が書き換えられ、新しいサービスで利用可能となる。
【０１１３】
このように、本実施形態のネットワークシステム（名簿共有システム）においては、簡素なフォーマットの赤外線データが用いられるので、安価な通信手段を用いて、テレビや携帯電話等の機器間で住所録を共有できる。
【０１１４】
次に、図１６で示した手順により準備された住所録を用いた新しいサービスが行われるときのＤＶＤレコーダ１１００、１１６０の動作について、図１８のフローチャートを参照して説明する。以下の動作においては、図１７の（３）に示す住所録を記憶するＤＶＤレコーダ（コンテンツ情報配信機器）１１００に接続されたテレビのユーザーである「ベッキー」という人が、「銀山金太郎」という友人に番組を推薦する。「銀山金太郎」は、ＤＶＤレコーダ１１６０と、これに接続されたテレビ（受信機器）のユーザーであり、「ベッキー」によって用いられるＤＶＤレコーダ１１００に記憶された住所録には、「銀山金太郎」のＤＶＤレコーダ１１６０の機器ＩＤが登録されている。また、「うるさいやつら」は、視聴するのに１５００円支払う必要のある有料放送である。
【０１１５】
（ステップ１１）「ベッキー」はＤＶＤレコーダ１１００に接続されたテレビで「うるさいやつら」という映画を視聴している最中に、「うるさいやつら」を「銀山金太郎」に推薦する。具体的には、「ベッキー」は、ＤＶＤレコーダ１１００が図１９の画面（ａ）のような画面をテレビに表示させている時、つまり、「銀山金太郎」の隣のチェックボックスがチェックされた状態の時に、画面右下の「推薦」というボタンを指定する所定の入力を行う。なお、図１９の画面（ａ）において友達一覧として表示されているのは、このときに住所録記憶部１１１２の住所録に登録されている名前である。また、画面右下の「推薦」ボタンを指定する所定の入力とは、例えば、「推薦」ボタン上にカーソルが位置した状態で、リモコンにおける所定のボタンを押すことであるが、これ以外の入力方法で、推薦情報の送信対象であるユーザーが指定されるようにしてもよい。前記所定の入力が行われると、ＤＶＤレコーダ１１００が、「うるさいやつら」という映画のコンテンツを推薦（指定）する推薦情報（コンテンツ情報）を、「銀山金太郎」に対応させて住所録に示されている機器ＩＤ「100-abcdefgh@jp.actobira.com」と共に、インターネットを介して、サーバー１９１０に送信する。つまり、推薦情報は、いずれのコンテンツが推薦されているかを示す情報である。
【０１１６】
（ステップ１２）サーバー１９１０は、ＤＶＤレコーダ１１００によって送信された推薦情報を受信し、この推薦情報を、「銀山金太郎」をユーザーとするＤＶＤレコーダ１１６０に送信する。
【０１１７】
つまり、（ステップ１１）および（ステップ１２）で、ＤＶＤレコーダ１１００は、サーバー１９１０を介して、前記所定の入力によって指定された人の名前と対応させて住所録に示されている機器ＩＤを有するＤＶＤレコーダ１１６０に推薦情報を送信する。
【０１１８】
（ステップ１３）ＤＶＤレコーダ１１６０は、（ステップ１２）においてサーバー１９１０によって送信された推薦情報を受信し、受信した推薦情報によっていずれのコンテンツが推薦されているかを、ＤＶＤレコーダ１１６０に接続されたテレビに表示する。例えば、このテレビには、動画を配信する新しいサービスを提供するためのトップ画面として、図１９の画面（ｂ）のような画面が表示される。画面（ｂ）において、左半分には「今週のトップテン」が表示され、右半分には「お友達からのお勧め」が表示されている。右半分には、ＤＶＤレコーダ１１００からの推薦情報に応じて、「ベッキー」によって推薦された「うるさいやつら」が表示されている。なお、ＤＶＤレコーダ１１６０とＤＶＤレコーダ１１６０に接続されたテレビとによって、受信機器が構成されている。
【０１１９】
（ステップ１４）サーバー１９１０は、「ベッキー」から「銀山金太郎」に「うるさいやつら」の推薦があったことをデータベースに登録する。
【０１２０】
「銀山金太郎」が「うるさいやつら」を視聴する場合、以下に説明する（ステップ１５）〜（ステップ２０）が実行される。
【０１２１】
（ステップ１５）「銀山金太郎」が、推薦された番組である「うるさいやつら」を視聴する。
【０１２２】
（ステップ１６）ＤＶＤレコーダ１１６０は、「ベッキー」によって推薦された「うるさいやつら」を「銀山金太郎」が視聴したことを示す番組視聴実績をサーバー１９１０に送信する。
【０１２３】
（ステップ１７）サーバー１９１０は、（ステップ１６）においてＤＶＤレコーダ１１６０によって送信された番組視聴実績を受信する。
【０１２４】
（ステップ１８）サーバー１９１０は、（ステップ１７）において受信した番組視聴実績をＤＶＤレコーダ１１００に送信する。
【０１２５】
（ステップ１９）サーバー１９１０は、番組視聴実績に基づいて前記データベースを検索し、（ステップ１４）において登録しておいた情報、すなわち、「ベッキー」から「銀山金太郎」に「うるさいやつら」の推薦があったことを示す情報を見つけると、「ベッキー」に５０円のキャッシュバックが行われるように処理をする。
【０１２６】
（ステップ２０）（ステップ１９）における処理が行われた後に「ベッキー」がＤＶＤレコーダ１１００を使うとき、ＤＶＤレコーダ１１００は、「銀山金太郎」が「うるさいやつら」を視聴したこと示す情報を、ＤＶＤレコーダ１１００に接続されたテレビの画面に表示する。
【０１２７】
上記のように、「うるさいやつら」の視聴には、通常１５００円の支払いが必要となっているが、「銀山金太郎」が「ベッキー」による推薦に応じて視聴すると、「ベッキー」に５０円のキャッシュバックがある。このように、他の装置からの推薦に応じた視聴に料金的な優遇を設けることによって、有料動画コンテンツの普及に拍車をかけることができる。
【０１２８】
また、新しいもうひとつのサービスが行われるときのＤＶＤレコーダ１１００、１１６０の動作について、図２０のフローチャートを参照して説明する。なお、図１８のフローチャートと同様の動作が行われるステップについては、同じ符号を付して説明を省略する。図２０に示すフローにおいては、図１７の（３）に示す住所録を記憶するＤＶＤレコーダ１１００に接続されたテレビのユーザーである「ベッキー」が、友人「人生悟」に番組を推薦する。ＤＶＤレコーダ１１００の住所録には、「人生悟」の機器ＩＤは登録されていないが、携帯電話アドレスは登録されている。また、ここでは、ＤＶＤレコーダ１１６０に接続されたテレビのユーザーは、「人生悟」であるとする。
【０１２９】
（ステップ２１）「ベッキー」はＤＶＤレコーダ１１００に接続されたテレビで「うるさいやつら」という映画を視聴している最中に、「うるさいやつら」を「人生悟」に推薦する。推薦の対象であるユーザーの指定方法は、（ステップ１１）と同様である。具体的には、「ベッキー」は、ＤＶＤレコーダ１１００が図２１の画面（ａ）のような画面をテレビに表示させている時、つまり、「人生悟」の隣のチェックボックスがチェックされた状態の時に、画面右下の「推薦」というボタンを指定する所定の入力を行う。（ステップ１１）においては、推薦情報が、推薦の対象であるユーザーに対応する機器ＩＤ「100-abcdefgh@jp.actobira.com」と共に、サーバー１９１０に送信されていた。ここでは、図１７の（３）に示す通り、「人生悟」に対応する機器ＩＤがＤＶＤレコーダ１１００の住所録に記録されていないので、ＤＶＤレコーダ１１００は、機器ＩＤの代わりに携帯電話（メール受信端末）のメールアドレス「satoru@jp.panazonic.com」とＤＶＤレコーダ１１００自身の機器ＩＤとをサーバー１９１０に送信する。
【０１３０】
（ステップ２２）サーバー１９１０は、ＤＶＤレコーダ１１００によって（ステップ２１）において送信された「人生悟」のメールアドレスを用いて、「人生悟」の携帯電話に、「うるさいやつら」という映画のコンテンツを推薦（指定）する推薦情報とＤＶＤレコーダ１１００の機器ＩＤとを送信する。
【０１３１】
つまり、（ステップ２１）および（ステップ２２）で、ＤＶＤレコーダ１１００は、サーバー１９１０を介して、前記所定の入力によって指定された人の名前と対応させて住所録に示されているメールアドレスを有する携帯電話に、推薦情報と推薦情報を送信したＤＶＤレコーダ自身の機器ＩＤとを送信する。
【０１３２】
（ステップ２３）「人生悟」の携帯電話は、サーバー１９１０によって（ステップ２２）において送信された推薦情報を受信する。そして、この携帯電話は、図２１の画面（ｂ）のような画面を表示する。この画面には、推薦人の機器ＩＤと推薦された番組とが表示される。
【０１３３】
「人生悟」が「うるさいやつら」を視聴する場合、以下に説明する（ステップ２４）〜（ステップ２６）が実行される。
【０１３４】
（ステップ２４）「人生悟」は、（ステップ２３）において携帯電話の画面に表示された推薦人である「ベッキー」の機器ＩＤを、画面を見ながら、リモコン操作等によって、ＤＶＤレコーダ１１６０に入力する。機器ＩＤが入力されたとき、ＤＶＤレコーダ１１６０に接続されたテレビは、図２１の画面（ｃ）に示すように、入力された機器ＩＤを画面の一番下の機器ＩＤの欄に表示する。
【０１３５】
（ステップ２５）図２１の画面（ｃ）のような画面が表示された状態で、「人生悟」が、画面左下の「視聴」ボタンを指定する所定の入力を行う。ここで、画面左下の「視聴」ボタンを指定する所定の入力とは、例えば、「視聴」ボタン上にカーソルが位置した状態で、リモコンにおける所定のボタンを押すことであるが、これ以外の入力方法で、番組視聴実績が送信されるようにしてもよい。
【０１３６】
（ステップ２６）（ステップ２５）における所定の入力に応じて、ＤＶＤレコーダ１１６０が、「ベッキー」によって推薦された「うるさいやつら」を「人生悟」が視聴したことを示す番組視聴実績をサーバー１９１０に送信する。
【０１３７】
このように、ＤＶＤレコーダが携帯電話と住所録の内容を共有するので、ＤＶＤレコーダのユーザーは、ＤＶＤレコーダに元々機器ＩＤが登録されていない友人に対しても、図２１の画面（ｂ）のようなメールを発信できる。メールを受信した友人は、自己のＤＶＤレコーダに接続されたテレビに、図２１の画面（ｃ）のような推薦された番組の視聴画面が、機器ＩＤの欄が空白の状態で表示されているときに、ＤＶＤレコーダに機器ＩＤを入力することによって、キャッシュバック等のサービスを受けることができる。
【０１３８】
また、他のサービスの例を挙げると、ＤＶＤレコーダ１１００のユーザーが所定の入力操作を行うと、そのＤＶＤレコーダに記憶された住所録に示されている住所に、コンテンツに含まれるＣＭ（commercial message）の商品が送られるようにしてもよい。これにより、ＣＭの価値を向上させることができる。
【０１３９】
なお、ＤＶＤレコーダ１１００に代えて、テレビジョン放送受信装置等、他のコンテンツ受信端末に、図１２に示した構成を設けてもよい。
【０１４０】
また、ＤＶＤレコーダ１１００の住所録記憶部１１１２、および携帯電話１２００の住所録記憶部１２１２にそれぞれ記憶される住所録は、個人の属性として、住所、電話番号、およびメールアドレスを示すものであった。しかし、この住所録に代えて、これらの属性のうちの一部やその他の属性を示す名簿を用いてもよい。
【０１４１】
また、上記実施形態１、２において、赤外線以外の片方向通信が行われるようにしてもよい。
【産業上の利用可能性】
【０１４２】
本発明に係る文字列受信装置、文字列転送装置、および文字列送受信システムは、コストを抑えつつ、ユーザー辞書や登録単語が複数の機器間で共有されるようにでき、また、コストを抑えつつ、映像機器や音響機器等に、日本語等の文字列を入力し易くできるという効果を有し、例えば、情報を双方向もしくは片方向に転送することによって、複数の機器間で情報を共有する技術として有用である。
【０１４３】
また、本発明に係るコンテンツ受信端末向けシステムＬＳＩ、名簿共有システム、名簿共有方法およびコンテンツ推薦方法は、インターネット上で配信される動画の視聴を促進することを容易にするという効果を有し、例えば、情報を双方向もしくは片方向に転送することによって、複数の機器間で情報を共有する技術として有用である。
【図面の簡単な説明】
【０１４４】
【図１】本発明の実施形態１に係るネットワークシステムの構成を示すブロック図である。
【図２】同、ＤＶＤレコーダ１００の構成を示すブロック図である。
【図３】同、携帯電話２００の構成を示すブロック図である。
【図４】同、赤外線による片方向通信に用いられる片方向通信データのフォーマットを示す説明図である。
【図５】同、ＤＶＤレコーダ１００が文字列の入力モードである場合に、表示部１０３および表示部２０６によって表示される画像を示す説明図である。
【図６】同、ＤＶＤレコーダ１００が登録単語の入力モードである場合に、表示部１０３および表示部２０６によって表示される画像を示す説明図である。
【図７】同、ＤＶＤレコーダ１００が文字列の入力モードである場合に、表示部１０３および表示部２０６によって表示される画像を示す説明図である。
【図８】同、ＤＶＤレコーダ１００がユーザー辞書登録モードである場合に、表示部１０３および表示部２０６によって表示される画像を示す説明図である。
【図９】同、ＤＶＤレコーダ１００が登録単語の入力モードである場合に、表示部１０３および表示部２０６によって表示される画像を示す説明図である。
【図１０】同、ＤＶＤレコーダ１００が文字列の入力モードにある場合に、表示部１０３および表示部２０６によって表示される画像を示す説明図である。
【図１１】本発明の実施形態２に係るネットワークシステムの構成を示すブロック図である。
【図１２】同、ＤＶＤレコーダ１１００の構成を示すブロック図である。
【図１３】同、携帯電話１２００の構成を示すブロック図である。
【図１４】同、住所録記憶部１１１２等によって記憶される住所録のデータ構造を示す説明図である。
【図１５】同、赤外線による片方向通信に用いられる片方向通信データのフォーマットを示す説明図である。
【図１６】同、ＤＶＤレコーダ１１００と携帯電話１２００とが住所録を共有する動作を示すフローチャートである。
【図１７】同、住所録記憶部１１１２に記憶された住所録と住所録記憶部１２１２に記憶された住所録の内容を示す説明図である。
【図１８】同、図１６の手順により準備された住所録を用いた新しいサービスが行われるときのＤＶＤレコーダ１１００、１１６０の動作を示すフローチャートである。
【図１９】同、ＤＶＤレコーダ１１００に接続されたテレビおよびＤＶＤレコーダ１１６０に接続されたテレビの表示画面を示す説明図である。
【図２０】同、新しいもうひとつのサービスが行われるときのＤＶＤレコーダ１１００、１１６０の動作を示すフローチャートである。
【図２１】同、ＤＶＤレコーダ１１００に接続されたテレビ、ＤＶＤレコーダ１１６０に接続されたテレビ、および携帯電話の表示画面を示す説明図である。
【符号の説明】
【０１４５】
１００、１５０、１６０  ＤＶＤレコーダ 
１０１      赤外線受信部 
１０２      コマンド処理部 
１０３      表示部 
１０４      操作キー 
１１０      文字列処理部 
１１１      文字列入力部 
１１２      登録単語記憶部 
１１３      ユーザー辞書記憶部 
１２０      主要機能部 
１２１      デジタルチューナー 
１２２      アナログチューナー 
１２３      ＭＰＥＧデコーダ 
１２４      ＭＰＥＧエンコーダ 
１２５      映像出力部 
１２６      音声出力部
１２７      ハードディスクドライブ 
１２８      ＤＶＤドライブ 
２００      携帯電話 
２０１      ネットワーク送受信部 
２０２      選択部 
２０３      コマンド処理部 
２０４      選択部 
２０５      赤外線送信部 
２０６      表示部 
２０７      操作キー 
２１０      文字列処理部 
２１１      文字列入力部 
２１２      登録単語記憶部 
２１３      ユーザー辞書記憶部 
２２０      主要機能部 
２２１      電話機能部 
２２２      Ｅメール機能部 
２２３      ネット閲覧機能部 
９００      携帯電話基地局 
９１０      サーバー 
９２０      パソコン 
９３０      ユニバーサルリモコン 
１１００、１１５０、１１６０    ＤＶＤレコーダ（コンテンツ受信端末、第２の装置、コンテンツ情報配信機器）
１１１０      文字列処理部 
１１１１      文字列入力部 
１１１２      住所録記憶部（名簿記憶部） 
１１１３      機器ＩＤ送信部 
１１１４      メールアドレス追加部 
１１５０      ＤＶＤレコーダ 
１１６０      ＤＶＤレコーダ 
１２００      携帯電話（第１の装置） 
１２０２、１２０４  選択部 
１２１０      文字列処理部 
１２１１      文字列入力部 
１２１２      住所録記憶部（名簿記憶部） 
１２１３      機器ＩＤ受信部 
１２１４      機器ＩＤ追加部
１９００      携帯電話基地局 
１９１０      サーバー 
１９２０      パソコン 
１９３０      ユニバーサルリモコン
【図１】
2009099056.tif 000003
【図２】
2009099056.tif 000004
【図３】
2009099056.tif 000005
【図４】
2009099056.tif 000006
【図５】
2009099056.tif 000007
【図６】
2009099056.tif 000008
【図７】
2009099056.tif 000009
【図８】
2009099056.tif 000010
【図９】
2009099056.tif 000011
【図１０】
2009099056.tif 000012
【図１１】
2009099056.tif 000013
【図１２】
2009099056.tif 000014
【図１３】
2009099056.tif 000015
【図１４】
2009099056.tif 000016
【図１５】
2009099056.tif 000017
【図１６】
2009099056.tif 000018
【図１７】
2009099056.tif 000019
【図１８】
2009099056.tif 000020
【図１９】
2009099056.tif 000021
【図２０】
2009099056.tif 000022
【図２１】
2009099056.tif 000023